(57)【要約】【課題】季節でガス使用量が変動しても通年を通して適切なガス容器の交換を行うことができるガス残量監視装置を提供する。【解決手段】ＣＰＵ１２Ａが、流量センサ１４の出力に基づいてガス容器からガス器具に供給されるガス流量を求めて、積算する。ＣＰＵ１２Ａは、ガス容器を交換する毎に積算値をリセットする。ＣＰＵ１２Ａは、積算値が残量警告レベルを超えると警告を発生する。ＣＰＵ１２Ａは、流量センサ１４の出力に基づいて１年間の月毎のガス使用量を月別使用量として各々求める。そして、ＣＰＵ１２Ａは、月毎にその月の月別使用量に応じて残量警告レベルの設定をし直す。【選択図】図１
2010144751.tif 000002
【特許請求の範囲】
【請求項１】
ガス器具に対してガスを供給するガス容器の残量又は残量に応じた値を検出する残量検出手段と、前記残量検出手段により検出された残量又は残量に応じた値が残量警告レベルに達すると警告を発生する残量警告手段と、を備えたガス残量監視装置において、
前記ガス容器から前記ガス器具に対して供給されるガス流量から１年間の月毎のガス使用量を月別使用量として各々求める月別使用量計測手段と、
前記月別使用量に応じて前記残量警告レベルを設定し直す設定手段と、
を備えたことを特徴とするガス残量監視装置。
【請求項２】
ガス器具に対してガスを供給するガス容器の残量又は残量に応じた値を検出する残量検出手段と、前記残量検出手段により検出された残量又は残量に応じた値が残量警告レベルに達すると警告を発生する残量警告手段と、を備えたガス残量監視装置において、
前記ガス容器から前記ガス器具に対して供給されるガス流量から前月のガス使用量を求める前月使用量計測手段と、
前記前月のガス使用量に基づいて前記残量警告レベルを設定し直す設定手段と、
を備えたことを特徴とするガス残量監視装置。
【請求項３】
前記ガス容器から前記ガス器具に対して供給されるガス流量から新規のガス器具が接続されたことを検出する新規ガス器具検出手段を備え、
前記新規ガス器具検出手段により新規のガス器具の接続が検出されると、前記設定手段が前記残量警告レベルを設定し直す
ことを特徴とする請求項１又は２に記載のガス残量監視装置。
【請求項４】
前記残量警告手段が警告を発生するとその旨を集中管理センターに通報する通報手段を
さらに備えたことを特徴とする請求項１〜３何れか１項に記載のガス残量監視装置。
【発明の詳細な説明】
【技術分野】
【０００１】
本発明は、ガス残量監視装置に関するものである。
【背景技術】
【０００２】
ガス容器からガス器具に対してガスを供給する場合、ガス容器内のガスが消費されて最後には残量０となるが、それまで使い切ると、それ以降は「ガス切れ」ということになってガス供給不能になるという不都合が生じる。そこで、ガス容器内のガス残量が少なくなってきたことを検知して、その旨を知らせるための警告を発生するガス残量監視装置が提案されている。
【０００３】
このガス残量監視装置から発生する警告に応じてガス容器を交換すれば、「ガス切れ」となる以前の残量の少なくなったガス容器を新しい別のガス容器と取り替えることができる。具体的には、ガス残量監視装置は、ガス容器の取り替え時点で初期値０に一端リセットしたカウンタに、その後のガス消費量をカウントさせ、カウント値が残量警告レベル１、２、３を超える毎に警告を発生する。
【０００４】
そして、このガス残量監視装置から発生する警告を受けるガス事業者は、残量警告レベル１の警告発生でそのガス残量監視装置が設置されている家庭で正常にガスが使われていることを確認する。また、ガス事業者は、残量警告レベル２の警告発生でガス容器の配送手配を行い、残量警告レベル３の警告発生でガス容器の交換作業を行うようにしている。
【０００５】
次に、例えば、５０ｋｇのガス容器を２本使用している一般家庭での残量警告レベル１、２、３の設定例について説明する。２本のガス容器から供給できるガスは、ガス１ｍ3を約２ｋｇとして計算すると、５０ｋｇ×２／２ｋｇ＝５０ｍ3となる。このような場合、ガス容器から供給できるガスの５０％に相当する２５ｍ3を残量警告レベル１に、ガス容器から供給できるガスの６０％に相当する３０ｍ3を残量警告レベル２に、ガス容器から供給できるガスの８０％に相当する４０ｍ3を残量警告レベル３に設定している。残量警告レベル１、２、３は、ガス容器を取り替えずにガスの消費を継続しても「ガス切れ」には至らないことが見込まれるような猶予期間をもって発生されるように設定されている。なお、残量警告レベル１、２、３の設定は、ガス残量監視装置と通信可能なセンタ装置やガス残量監視装置に接続可能な設定器を用いてガス事業者が手動（マニュアル）で行っている。
【０００６】
ガスの使用量は、一般的に冬場に多く、夏場に少ない。このため、上述した従来のように一年を通して残量警告レベル１、２、３を同じ値に設定すると、当然、冬場は夏場に比べて残量警告レベル１、２、３の発生から「ガス切れ」までの猶予期間が短い。よって、夏場では残量警告レベル３の発生から「ガス切れ」までの猶予期間が２〜３日あったとしても、冬場では残量警告レベル３が発生してから「ガス切れ」までの猶予期間が数時間しかない場合がある。また、残量警告レベル３が発生したからといっても、配送計画上必ずしもその日に容器交換を完了できるわけではなく、冬場に「ガス切れ」が発生する恐れがあった。
【０００７】
だからといって、冬場の消費量に合わせて残量警告レベル１、２、３を引き下げると、冬場は適切にガス容器の交換を行うことができるが、今度は夏場にまだガス容器内に多くのガスが残っているのにガス容器の交換をすることになり、配送効率が悪くなってしまう、という問題があった。
【発明の開示】
【発明が解決しようとする課題】
【０００８】
そこで、本発明は、季節でガス使用量が変動しても通年を通して適切なガス容器の交換を行うことができるガス残量監視装置を提供することを課題とする。
【課題を解決するための手段】
【０００９】
上記課題を解決するためになされた請求項１記載の発明は、ガス器具に対してガスを供給するガス容器の残量又は残量に応じた値を検出する残量検出手段と、前記残量検出手段により検出された残量又は残量に応じた値が残量警告レベルに達すると警告を発生する残量警告手段と、を備えたガス残量監視装置において、前記ガス容器から前記ガス器具に対して供給されるガス流量から１年間の月毎のガス使用量を月別使用量として各々求める月別使用量計測手段と、前記月別使用量に応じて前記残量警告レベルを設定し直す設定手段と、を備えたことを特徴とするガス残量監視装置に存する。
【００１０】
請求項２記載の発明は、ガス器具に対してガスを供給するガス容器の残量又は残量に応じた値を検出する残量検出手段と、前記残量検出手段により検出された残量又は残量に応じた値が残量警告レベルに達すると警告を発生する残量警告手段と、を備えたガス残量監視装置において、前記ガス容器から前記ガス器具に対して供給されるガス流量から前月のガス使用量を求める前月使用量計測手段と、前記前月のガス使用量に基づいて前記残量警告レベルを設定し直す設定手段と、を備えたことを特徴とするガス残量監視装置に存する。
【００１１】
請求項３記載の発明は、前記ガス容器から前記ガス器具に対して供給されるガス流量から新規のガス器具が接続されたことを検出する新規ガス器具検出手段を備え、前記新規ガス器具検出手段により新規のガス器具の接続が検出されると、前記設定手段が前記残量警告レベルを設定し直すことを特徴とする請求項１又は２に記載のガス残量監視装置に存する。
【００１２】
請求項４記載の発明は、前記残量警告手段が警告を発生するとその旨を集中管理センターに通報する通報手段をさらに備えたことを特徴とする請求項１〜３何れか１項に記載のガス残量監視装置に存する。
【発明の効果】
【００１３】
以上説明したように請求項１記載の発明によれば、月別使用量に応じて残量警告レベルを設定し直すことができるので、季節でガス使用量が変動しても通年を通して適切なガス容器の交換を行うことができる。
【００１４】
請求項２記載の発明によれば、前月のガス使用量に基づいて残量警告レベルを設定し直すことができるので、季節でガス使用量が変動しても通年を通して適切なガス容器の交換を行うことができる。
【００１５】
請求項３記載の発明によれば、新規のガス器具が接続されてガス使用量が増えてもそれに合わせて残量警告レベルを設定し直すことができるので、より一層適切なガス容器の交換を行うことができる。
【００１６】
請求項４記載の発明によれば、集中管理センター側でより一層適切なガス容器の交換を行うことができる。
【発明を実施するための最良の形態】
【００１７】
以下、本発明の実施の形態を図面に基づいて説明する。図１に示すように、集中監視システム１は、ガスメータ２と、集中監視装置３と、から構成されている。上記ガスメータ２は、図２に示すようなガス供給設備４内に設けられている。図２に示すガス供給設備４において、２本のガス容器５Ａ及び５Ｂからの高圧ガスは、高圧ホース６Ａ及び６Ｂを介して、圧力調整器７に供給される。この圧力調整器７によってガス容器５Ａ及び５Ｂからの高圧ガスは、所定の圧力に調整される。
【００１８】
圧力調整されたガスは、途中に閉止コック８を有するガス管路９を介してガスメータ２に供給された後、さらにガス管路９、該ガス管路９から分岐した分岐ガス管路１０を介して、室内に設けられたガス器具１１に供給されている。このガス器具１１としては、例えば、ガス給湯器１１Ａ、ガスコンロ１１Ｂ、ガスヒータ１１Ｃ、ガス床暖房１１Ｄなどがある。その他、ガス器具１１としては、ガス炊飯器、ガス食器洗い乾燥機、ガスオーブン、ガスファンヒータ、ガス瞬間湯沸器、ガスヒートポンプ（ＧＨＰ）（何れも図示せず）などが挙げられる。
【００１９】
次に、ガスメータ２の構成について、図１を参照して説明する。ガスメータ２は、予め定められたプログラムに従って動作するマイクロコンピュータ（μＣＯＭ）１２を有している。μＣＯＭ１２は、周知のように、予め定めたプログラムに従って各種の処理や制御などを行う中央演算処理装置（ＣＰＵ）１２Ａ、ＣＰＵ１２Ａのためのプログラム等を格納した読み出し専用のメモリであるＲＯＭ１２Ｂ、各種のデータを格納するとともにＣＰＵ１２Ａの処理作業に必要なエリアを有する読み出し書き込み自在のメモリであるＲＡＭ１２Ｃ等を有して構成している。
【００２０】
ガスメータ２はさらに、前記電池からの電力供給が断たれた場合でも、格納された各種データの保存が可能であり、ＣＰＵ１２Ａの処理作業に必要な各種格納エリアを有する電気的消去／書き換え可能なメモリ（ＥＥＰＲＯＭ）１３を有する。このＥＥＰＲＯＭ１３には、月別使用量計測用の流量積算値Ｑｓ１、残量監視用の流量積算値Ｑｓ２、残量警告レベルＬ１〜Ｌ３、月別使用量Ｑ１〜Ｑ１２、平均使用量Ｑａｖｅ、などを記憶する各種エリアを有している。
【００２１】
ガスメータ２はさらに流量検出手段としての流量センサ１４、表示部１５、操作部１６、通信部１７を有し、それらの各々はインタフェース部１８を介してμＣＯＭ１２に接続している。流量センサ１４には、ガスメータ２内のガス通路、即ちガス管路９を流れるガス流量を検出するフローセンサなどが用いられる。そして、流量センサ１４は、μＣＯＭ１２が出力するサンプリング信号に応じて駆動して、ガス流量の検出結果をμＣＯＭ１２に入力する。
【００２２】
表示部１５は、ガス使用量の積算値や警告などの各種の情報を表示する液晶表示器（ＬＣＤ）などが用いられ、μＣＯＭ１２からの制御によって表示を行う。操作部１６は、複数の操作スイッチを有して構成しており、ガス事業者等の操作に応じた信号がμＣＯＭ１２に入力される。通信部１７は、例えば電話回線に接続されていて、電話回線を通じてガス事業者の集中監視装置３との通信を可能とし、μＣＯＭ１２によって制御される。
【００２３】
次に、上述した構成のガスメータ２の動作について説明する。まず、電源供給に応じてガスメータ１内のＣＰＵ１２Ａは、流量積算・残量監視処理を開始する。流量積算・残量監視処理において、ＣＰＵ１２Ａは、残量検出手段として働き、月別使用量計測用の流量積算値Ｑｓ１を求めると共にガス容器５Ａ及び５Ｂの残量に応じた値である残量監視用の流量積算値Ｑｓ２を求める。また、この流量積算・残量監視処理において、ＣＰＵ１２Ａは、流量積算値Ｑｓ２が残量警告レベルＬ１、Ｌ２、Ｌ３に達すると警告を発生する。なお、残量警告レベルＬ１〜Ｌ３は、初期状態では予め定めた初期値Ｌｒｅｆ１、Ｌｒｅｆ２、Ｌｒｅｆ３に設定されていて、後述する設定処理によって月毎に設定し直される。
【００２４】
上記流量積算・残量監視処理の詳細について図３を参照して説明する。まず、ＣＰＵ１２Ａは、流量センサ１４を駆動してガス流量Ｑを検出させる（ステップＳ１）。その後、ＣＰＵ１２Ａは、流量積算手段として働き、ＲＡＭ１２Ｃ内に格納した流量積算値Ｑｓ１、Ｑｓ２にステップＳ１で検出したガス流量Ｑを積算した値を新たな流量積算値Ｑｓ１、Ｑｓ２として格納する（ステップＳ２）。ステップＳ２で積算した結果、まだ後述する警告１を発生していない状態で流量積算値Ｑｓ２が残量警告レベルＬ１を超えると（ステップＳ３でＹ）、ＣＰＵ１２Ａは、残量警告手段、通報手段として働き、通信部１７を制御して集中管理センター３に対してその旨を警告する警告１を通報した後（ステップＳ８）、後述するステップＳ６に進む。集中監視装置３を通じて警告１を受け取ると、ガス事業者は正常にガスが使われていることを確認する。
【００２５】
また、まだ後述する警告２を発生していない状態で流量積算値Ｑｓ２が残量警告レベルＬ２を超えると（ステップＳ４でＹ）、ＣＰＵ１２Ａは、残量警告手段、通報手段として働き、通信部１７を制御して集中管理センター３に対してその旨を警告する警告２を通報した後（ステップＳ９）、後述するステップＳ６に進む。集中管理センター３を通じて警告２を受け取ると、ガス事業者は、ガス容器５Ａ及び５Ｂの配送手配を行う。
【００２６】
さらに、まだ後述する警告３が発生していない状態で流量積算値Ｑｓ２が残量警告レベルＬ３を超えると（ステップＳ５でＹ）、ＣＰＵ１２Ａは、残量警告手段、通報手段として働き、通信部１７を制御して集中管理センター３に対してその旨を警告する警告３を通報した後（ステップＳ１０）、後述するステップＳ６に進む。集中監視装置３を通じて警告３を受け取るとガス事業者は、ガス容器５Ａ及び５Ｂの交換作業を行う。
【００２７】
その後、ガス容器５Ａ及び５Ｂが交換されて、ガス事業者により操作部１６の交換スイッチが操作されると（ステップＳ６でＹ）、ＣＰＵ１２Ａは、流量積算値Ｑｓ２を０にリセットした後に（ステップＳ７）、再びステップＳ１に戻る。ステップＳ６において、交換スイッチが操作されていなければ（ステップＳ６でＮ）、ＣＰＵ１２Ａは、０リセットすることなく直ちにステップＳ１に戻る。
【００２８】
また、ＣＰＵ１２Ａは、月別使用量計測手段として働き、上記残量監視処理とは並列して１年かけて月毎のガス使用量を月別使用量Ｑ１〜Ｑ１２として各々求めると共に１年間の月別使用量Ｑ１〜Ｑ１２の平均値を平均使用量Ｑａｖｅ（＝（Ｑ１＋…＋Ｑ１２）／１２）として求める使用量計測処理を行っている。使用量計測処理について図４を参照して説明する。まず、ＣＰＵ１２Ａは、月初めになると（ステップＳ１２）、上記積算流量値Ｑｓ１から前の月の流量積算値Ｑｓ１ｂを差し引いた値を前の月の月別使用量Ｑｎ−１として格納する（ステップＳ１３）。その後、ＣＰＵ１２Ａは、積算流量値Ｑｓ１を前の月の流量積算値Ｑｓ１ｂとして格納する（ステップＳ１４）。その後、１年経過すると（ステップＳ１５でＹ）、ＣＰＵ１２Ａは、１年の月別使用量Ｑ１〜Ｑ１２の平均値を平均使用量Ｑａｖｅとして格納した後（ステップＳ１６）、ステップＳ１２に戻る。
【００２９】
さらに、ＣＰＵ１２Ａは、設定手段として働き、月初めになると残量警告レベルＬ１、Ｌ２、Ｌ３を自動補正する設定処理を開始する。この設定処理について図５を参照して説明する。まずＣＰＵ１２Ａは、下記の式（１）に示す値を第１補正係数αとして求める（ステップＳ１６）。
α←（Ｑｎ−Ｑａｖｅ）／Ｑａｖｅ  …（１）
なお、Ｑｎはその月の月別使用量である。
【００３０】
その後、ＣＰＵ１２Ａは、下記の式（２）〜（４）に示す値を残量警告レベルＬ１、Ｌ２、Ｌ３として設定し直した後（ステップＳ１８）、処理を終了する。
Ｌ１←Ｌｒｅｆ１×（１−α×β）  …（２）
Ｌ２←Ｌｒｅｆ２×（１−α×β）  …（３）
Ｌ３←Ｌｒｅｆ３×（１−α×β）  …（４）
なお、βは予め定めた第２補正係数である。Ｌｒｅｆ１〜Ｌｒｅｆ３は上述したように残量警告レベルＬ１〜Ｌ３の初期値である。
【００３１】
次に、上記設定処理について具体的数値を当てはめて説明する。例えば、下記に示す月別使用量Ｑ１〜Ｑ１２が求められていたとする。
前年の１月の月別使用量Ｑ１＝５５．０３ｍ3
前年の２月の月別使用量Ｑ２＝６２．８５ｍ3
前年の３月の月別使用量Ｑ３＝５７．６８ｍ3
前年の４月の月別使用量Ｑ４＝４９．６２ｍ3
前年の５月の月別使用量Ｑ５＝４３．７３ｍ3
前年の６月の月別使用量Ｑ６＝４０．６６ｍ3
前年の７月の月別使用量Ｑ７＝３９．０２ｍ3
前年の８月の月別使用量Ｑ８＝３７．４７ｍ3
前年の９月の月別使用量Ｑ９＝３８．６２ｍ3
前年の１０月の月別使用量Ｑ１０＝４１．５１ｍ3
前年の１１月の月別使用量Ｑ１１＝４９．８３ｍ3
前年の１２月の月別使用量Ｑ１２＝５２．２４ｍ3
【００３２】
このとき、平均使用量Ｑａｖｅ＝４７．３６ｍ3である。また、初期値Ｌｒｅｆ１＝２５ｍ3、Ｌｒｅｆ２＝３０ｍ3、Ｌｒｅｆ３＝４０ｍ3、β＝０．１とする。これらの数値を上記式（１）〜（４）に代入すると、例えば月別使用量Ｑ４が平均使用量Ｑａｖｅに近い４月の残量警告レベルＬ３は下記の式（５）に示す値に設定され、補正が殆んど行われない。
Ｌ３＝４０×｛１−０．１×（４９．６２−４７．３６）／４７．３６｝≒４０ｍ3  …（５）
【００３３】
これに対して月別使用量Ｑ２が平均使用量Ｑａｖｅより多い２月の残量警告レベルＬ３は下記の式（６）に示す値に設定され、残量警告レベルＬ３を下方に引き下げる補正が行われる。
Ｌ３＝４０×｛１−０．１×（６２．８５−４７．３６）／４７．３６｝＝３８．６８ｍ3  …（６）
【００３４】
また月別使用量Ｑ８が平均使用量Ｑａｖｅより多い８月の残量警告レベルＬ３は下記の式（７）に示す値に設定され、残量警告レベルＬ３を上方に引き上げる補正が行われる。
Ｌ３＝４０×｛１−０．１×（３７．４７−４７．３６）／４７．３６｝＝４０．８４ｍ3  …（６）
【００３５】
以上のことから明らかなように、上述したガスメータ２によれば、月別使用量Ｑ１〜Ｑ２に応じて残量警告レベルＬ１〜Ｌ３を設定し直すことができるので、季節でガス使用量が変動しても通年を通して適切なガス容器５Ａ、５Ｂの交換を行うことができる。
【００３６】
なお、上述した実施形態では、平均使用量Ｑａｖｅに基づいて残量警告レベルＬ１〜Ｌ３を設定し直していたが、本発明はこれに限ったものではない。例えば、平均使用量Ｑａｖｅの代わりに予め定めた１ヶ月のガス使用量の基準値Ｑｒｅｆを用いて残量警告レベルＬ１〜Ｌ３を設定し直してもよい。
【００３７】
また、上述した実施形態では、月別使用量Ｑ１〜Ｑ１２に基づいて残量警告レベルＬ１〜Ｌ３を設定し直していたが、本発明はこれに限ったものではない。例えば前月のガス使用量Ｑｂに基づいて残量警告レベルＬ１〜Ｌ３を設定し直すようにしてもよい。この場合、ＣＰＵ１２Ａが、前月使用量計測手段として働き、前月のガス使用量Ｑｂを求める。そして、ＣＰＵ１２Ａは、設定手段として働き、月初めにこの前月のガス使用量Ｑｂに基づいて残量警告レベルＬ１〜Ｌ３を設定し直す。具体的には、まず、ＣＰＵ１２Ａは、下記の式（７）に示す値を第１補正係数αとして求める。
α←（Ｑｂ−Ｑｒｅｆ）／Ｑｒｅｆ  …（７）
なお、Ｑｒｅｆは１ヶ月のガス使用量の基準値である。その後、上述した実施形態と同様に、ＣＰＵ１２Ａは、上記式（２）〜（４）に示す値を残量警告レベルＬ１〜Ｌ３として設定し直す。
【００３８】
また、上述した実施形態では、月毎に残量警告レベルＬ１〜Ｌ３を設定し直していたが、本発明はこれに限ったものではない。近年のガスメータ１は使用されているガス器具の種別を判定したり、新規のガス器具の接続を検出する器具判定機能を有しているものがある。よって、このような器具判定機能を有しているガスメータ１においては、新規のガス器具の接続が検出されたときに残量警告レベルＬ１〜Ｌ３を下方に引き下げる補正を行うことも考えられる。このようにすれば、新規のガス器具が接続されてガス使用量が増えてもそれに合わせて残量警告レベルＬ１、Ｌ２、Ｌ３を設定し直すことができるので、より一層適切なガス容器の交換を行うことができる。
【００３９】
この場合のＣＰＵ１２Ａの処理手順を詳しく説明する。ＣＰＵ１２Ａは、新規ガス器具検出手段として働き器具判別処理を行っている。この器具判別処理の一例を図６を参照して説明する。同図（Ａ）に示すように、時刻ｔ１での新たなガス器具１１の使用が開始されると、ガス流量は増加して流量Ｑｍ＋１（＞Ｑｍ）で一定となる。より詳しく説明すると、同図（Ｂ）に示すように、ガス流量は上記流量Ｑｍ＋１に対してオーバーシュートしてピーク流量Ｑｐｏとなり、所定時間Δｔ１後に流量Ｑｍ＋１に対してアンダーシュートして流量Ｑｐｕとなり、その後、所定時間Δｔ２後に流量Ｑｍ＋１に安定する。
【００４０】
これに対して新たなガス器具１１の使用開始に伴わないガス流量の増加には、オーバーシュート及びアンダーシュートは発生しない。そこで、ガス流量の増加時にオーバーシュートとアンダーシュートとを繰り返した後に流量が安定したならば、新たなガス器具１１の使用が開始されたと判定することができる。また、新たなガス器具１１の使用開始に伴うガス流量の増加時の傾き（流量の増加開始からピーク流量Ｑｐｏとなるまでの間の傾き）、及び、ピーク流量Ｑｐｏでのピーク増加量ΔＱｐｏ（＝Ｑｐｏ−Ｑｎ）は、ガス器具１１毎に異なる値になる。
【００４１】
そこで、予めＥＥＰＲＯＭ１３内に、各ガス器具１１に対するガス流量の傾き及びピーク増加量ΔＱｐｏを示す器具判別テーブルを記憶させる。そして、器具判別処理においてＣＰＵ１２Ａは、上述したガス流量の増加時の傾き及びピーク増加量ΔＱｐｏを求めて、求めたガス流量の傾き及びピーク増加量ΔＱｐｏに対するガス器具１１をＥＥＰＲＯＭ１３に格納された器具判別テーブルから検索して、検索したガス器具１１を使用されたガス器具１１と判別する。このとき器具判別テーブルからガス器具が検索できなければ新規ガス器具１１が接続されたと判断する。
【００４２】
また、上述した実施形態では、流量積算値Ｑｓ２をガス容器５Ａ及び５Ｂの残量に応じた値として求め、流量積算値Ｑｓ２と残量警告レベルとを比較して警告を発生させていたが、本発明はこれに限ったものではない。例えば、ガス容器５Ａ及び５Ｂの容量から上記流量積算値Ｑｓ２を差し引いたガス容器５Ａ及び５Ｂの残量と残量警告レベルとを比較して警告を発生させるようにしてもよい。
【００４３】
また、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００４４】
【図１】本発明のガス残量監視装置を組み込んだガスメータの一実施の形態を示すブロック図である。
【図２】図１に示すガスメータを組み込んだガス供給設備の一例を示す構成図である。
【図３】流量積算・残量監視処理におけるＣＰＵの処理手順を示すフローチャートである。
【図４】使用量計測処理におけるＣＰＵの処理手順を示すフローチャートである。
【図５】設定処理におけるＣＰＵの処理手順を示すフローチャートである。
【図６】ガス器具の使用開始に伴う流量増加を説明するためのガス流量のタイムチャートである。
【符号の説明】
【００４５】
５Ａ    ガス容器
５Ｂ    ガス容器
１１    ガス器具
１２Ａ  ＣＰＵ（残量検出手段、残量警告手段、月別使用量計測手段、設定手段、前月使用量計測手段、新規ガス器具検出手段）
Ｌ１    残量警告レベル
Ｌ２    残量警告レベル
Ｌ３    残量警告レベル
【図１】
2010144751.tif 000003
【図２】
2010144751.tif 000004
【図３】
2010144751.tif 000005
【図４】
2010144751.tif 000006
【図５】
2010144751.tif 000007
【図６】
2010144751.tif 000008